(57)【要約】      （修正有）【課題】荷物保持用ベルトが取付固定されていない場合もベルト取付具を有効に活用できる使い勝手のよいスーツケースを提供する。【解決手段】荷物の収容空間が内部に形成され、下面と、下面に対向する上面と、下面と上面とをつなぐ側面１２ｄと、を有するシェル１１と、下面に設けられたキャスター１４と、上面に設けられたプルドライブハンドル１６と、上面に設けられ、荷物を保持するためのベルトを固定してベルトを上面から側面１２ｄに垂らすベルト取付具３０と、を備える。ベルト取付具は、ベルトを固定していない場合に小荷物３を引っ掛けるためのフック３５を有する。【選択図】図５
0003220106.tif 000002
【実用新案登録請求の範囲】
【請求項１】
荷物の収容空間が内部に形成され、下面と、前記下面に対向する上面と、前記下面と前記上面とをつなぐ側面と、を有するシェルと、
前記下面に設けられたキャスターと、
前記上面に設けられたプルドライブハンドルと、
前記上面に設けられ、荷物を保持するためのベルトを固定して前記ベルトを前記上面から前記側面に垂らすベルト取付具と、を備え、
前記ベルト取付具は、前記ベルトを固定していない場合に小荷物を引っ掛けるためのフックを有する、スーツケース。
【請求項２】
前記フックは、前記ベルトを垂らす方向と逆方向に突出する、請求項１記載のスーツケース。
【考案の詳細な説明】
【技術分野】
【０００１】
本考案は、袋を引っ掛けるフックを有するスーツケースに関する。
【背景技術】
【０００２】
従来、スーツケースの牽引時における上面に、鞄などの荷物を取り付け、保持するための取付機構を有するスーツケースが知られている。
【先行技術文献】
【特許文献】
【０００３】
【特許文献１】特表平８−５０７９５４号
【考案の概要】
【考案が解決しようとする課題】
【０００４】
上記取付機構は、荷物を保持しない場合には、スーツケースから一部または全体が取り外されたり、スーツケース内に格納されたりする。このような取付機構は、荷物を取り付けない場合には、何ら活用されていなかった。
【０００５】
本考案は、このような事情を考慮してなされたもので、使い勝手のよいスーツケースを提供することを目的とする。
【課題を解決するための手段】
【０００６】
本考案に係るスーツケースは、上述した課題を解決するために、荷物の収容空間が内部に形成され、下面と、前記下面に対向する上面と、前記下面と前記上面とをつなぐ側面と、を有するシェルと、前記下面に設けられたキャスターと、前記上面に設けられたプルドライブハンドルと、前記上面に設けられ、荷物を保持するためのベルトを固定して前記ベルトを前記上面から前記側面に垂らすベルト取付具と、を備え、前記ベルト取付具は、前記ベルトを固定していない場合に小荷物を引っ掛けるためのフックを有する。
【考案の効果】
【０００７】
本考案に係るスーツケースにおいては、使い勝手を向上させることができる。
【図面の簡単な説明】
【０００８】
【図１】本発明に係るスーツケースの実施形態を示す斜視図。
【図２】ベルト取付具の斜視図。
【図３】ベルトの固定具側を特に示す斜視図。
【図４】ベルト取付具にベルトが取り付けられ、鞄がベルトに保持された状態の説明図。
【図５】ベルト取付具にベルトが取り付けられていない状態であり、フックが荷物を保持している状態の説明図。
【考案を実施するための形態】
【０００９】
本考案を実施するための形態について、図面を用いて説明する。
【００１０】
図１は、本発明に係るスーツケースの実施形態を示す斜視図である。
【００１１】
本実施形態においては、「上」は図１における上側を意味し、「下」は図１における下側を意味する。「前」は図１における斜め右側（シェル体１２側）を意味し、「後」は図１における斜め左側（シェル体１３側）を意味する。「左」は図１における斜め手前側であり前側から見た場合の左側を意味し、「右」は図１における斜め奥側であり前側から見た場合の右側を意味する。
【００１２】
スーツケース１は、直方体状のシェル１１を前後に分割した形状を有する樹脂製のシェル体１２およびシェル体１３と、シェル体１２の下面１２ａおよびシェル体１３の下面１３ａに設けられたキャスター１４と、シェル体１３の上面１３ｂに設けられたハンドル１５と、シェル体１３に上下方向に伸縮可能に設けられたプルドライブハンドル１６と、を備えている。
【００１３】
シェル体１２の左側面１２ｃおよびシェル体１３の左側面１３ｃは、ヒンジ結合され、シェル用ファスナー１７の開け閉めによりシェル体１２とシェル体１３とが開閉可能となっている。
【００１４】
シェル１１の内部には、荷物を収容する収容空間が形成されている。収容空間は、シェル体１２側の収容空間である前側収容空間と、シェル体１３側の収容空間である後側収容空間と、を有している。また、シェル１１は、収容空間を仕切る中仕切りや、収容空間に収容された荷物を押さえる中バンドなどを有していてもよい。また、シェル１１は、収容空間を伸縮させるマチ部を有していてもよい。マチ部は、マチ部用ファスナー１８が閉められた状態で内側に折りたたまれて、シェル体１２とシェル体１３とを接近させることにより、収容空間を縮小する。マチ部は、マチ部用ファスナー１８が開けられた状態で前後方向に伸長して、シェル体１２とシェル体１３とを離隔させ、収容空間を拡張する。
【００１５】
スーツケース１は、ベルト４０を取り付けるためのベルト取付具３０をさらに備える。
【００１６】
ベルト取付具３０は、鞄などの荷物装着用のベルト４０（図３）を固定して、ベルト４０を上面１２ｂ、１３ｂから側面としての前面１２ｄ側に垂らす。ベルト取付具３０は、後側のシェル体１３の上面１３ｂであって、ハンドル１５よりも前側に設けられている。ベルト取付具３０は、シェル体１３の上面１３ｂに、例えば上面１３ｂの内側からネジなどで固定されている。
【００１７】
図２は、ベルト取付具３０の斜視図である。図３は、ベルト４０の固定具４１側を特に示す斜視図である。
【００１８】
ベルト取付具３０は、空間３１と、抜け止め片３３と、フック３５と、を有している。空間３１は、ベルト４０の固定具４１の形状に応じたＴ形状に形成されている。空間３１は、前後方向（ベルト４０の垂れ下がり方向）に延びた領域３１ａと、左右方向に延びた領域３１ｂと、を有している。抜け止め片３３は、この左右方向に延びた領域３１ｂを上側から覆い、空間３１に嵌まった固定具４１が上方向に抜け出ないように押さえる。フック３５は、各抜け止め片３３が後側に延びて突出することにより形成されている。フック３５は、ベルト４０を固定していない場合に小荷物３（図５）を引っ掛けるために用いられる。フック３５の抜け止め片３３（ベルト取付具３０の周縁３０ａ）からの突出量は、フック３５に引っ掛けられる小荷物３に応じて設定されればよい。フック３５は、ベルト４０を垂らす方向と逆方向に突出している。すなわち、フック３５は、ベルト４０を垂らす方向である前方向と逆方向である後方向に突出している。
【００１９】
ベルト４０は、紐４２と、バックル４３と、固定具４１と、を有している。紐４２は、スーツケース１に対して鞄２を保持してぶら下げることが可能な、調整可能な長さおよび強度を有している。バックル４３は、紐４２の２箇所に設けられ、その２箇所を連結することにより、紐４２を輪形状に形成する。固定具４１は、紐４２をベルト取付具３０に固定するためのＴ形状を有する部材である。
次に、ベルト取付具３０の使用態様について説明する。
【００２０】
図４は、ベルト取付具３０にベルト４０が取り付けられ、鞄２がベルト４０に保持された状態の説明図である。
【００２１】
図５は、ベルト取付具３０にベルト４０が取り付けられていない状態であり、フック３５が荷物を保持している状態の説明図である。
【００２２】
使用者がスーツケース１に鞄２を取り付けて保持したい場合、ベルト取付具３０にベルト４０が取り付けられる。ベルト４０は、前面１２ｄ側に垂れ下がる。ベルト４０のバックル４３の連結が外され、輪形状の紐４２の連結が解除されると、一端から鞄２の持ち手２ａが通される。その後、バックル４３が連結されると、鞄２は輪形状の紐４２にぶら下がり、保持される。なお、ベルト４０は、鞄２のみならず、洋服などの他の荷物を保持してもよい。
【００２３】
スーツケース１は、プルドライブハンドル１６を介して使用者に牽引されると、前面１２ｄが上方を向き、後面１３ｄが地面側を向くように倒される。これにより、鞄２は、紐４２による保持のみならず、前面１２ｄ上に乗るように支持される。
【００２４】
一方、ベルト取付具３０にベルト４０が固定されていない場合、従来であれば、ベルト取付具３０は用をなさない。しかし、本実施形態におけるベルト取付具３０は、フック３５を有している。このため、フック３５に小荷物３を引っ掛けることにより、保持することができる。小荷物３は、例えば、輪形状の取っ手がついたビニール袋や紙袋をはじめとし、フック３５の形状・寸法に対して引っ掛かることが可能な物であれば、どのようなものでも含まれる。フック３５は、上述の通り、ベルト４０を垂らす方向である前方向と逆方向である後方向に突出している。これにより、フック３５に小荷物３が引っ掛けられた状態で、スーツケース１が使用者に牽引される場合に、小荷物３に掛る重力によりフック３５から荷物が落下することなく、前面１２ｄ上に乗るように支持される。
【００２５】
このような本実施形態におけるスーツケース１は、ベルト４０が固定されていない場合のベルト取付具３０を、有効に活用することができる。このため、スーツケース１の使い勝手を向上させることができ、商品価値を向上させることができる。
【００２６】
以上、本考案を実施するための形態について例示したが、本考案の実施形態は上述したものに限られず、本考案の趣旨を逸脱しない範囲で適宜変更などしてもよい。
【００２７】
例えば、フックの突出方向は、プルドライブハンドルを介して使用者に牽引される際に、地面側を向く面（後面）側（後側）に限らず、何れの側面方向に突出していてもよい。例えば、右側面、左側面側に突出していてもよい。すなわち、「側面」には、上面（１２ｂ、１３ｂ）および下面（１２ａ、１３ａ）以外の、前面（前面１２ｄ）、後面（１３ｄ）、左側面（１２ｃ、１３ｃ）、右側面が含まれる。
【符号の説明】
【００２８】
１  スーツケース
２  鞄
２ａ  持ち手
３  小荷物
１１  シェル
１２、１３  シェル体
１２ａ、１３ａ  下面
１２ｂ、１３ｂ  上面
１２ｃ、１３ｃ  左側面
１２ｄ  前面
１３ｄ  後面
１４  キャスター
１５  ハンドル
１６  プルドライブハンドル
１７  シェル用ファスナー
１８  マチ部用ファスナー
３０  ベルト取付具
３０ａ  周縁
３１  空間
３３  抜け止め片
３５  フック
４０  ベルト
４１  固定具
４２  紐
４３  バックル
【図１】
0003220106.tif 000003
【図２】
0003220106.tif 000004
【図３】
0003220106.tif 000005
【図４】
0003220106.tif 000006
【図５】
0003220106.tif 000007